(57)【要約】      （修正有）【課題】浴室洗い場等の床シートを、浮き上がることなく床構造本体に貼り付ける方法と床シートを提供する。【解決手段】床シート２０は、Ｘ軸方向に離間対向する第１辺２１および第２辺２２と、Ｙ軸方向に離間対向する第３辺２３と第４辺２４とを有しており、その下面に積層された離型紙は縦横に分割され、分割された離型紙に対応して、床シート２０は、開口２５が形成された特定区域Ｒ１と、この特定区域Ｒ１と第２辺２２との間に配置されたＸ軸方向分割区域Ｒ３、Ｒ４と、特定区域Ｒ１と第３辺２３および第４辺２４との間にそれぞれ配置されたＹ軸方向分割区域Ｒ２、Ｒ５とを有する。排水ユニットの枠部材を排水ユニットの主部材に嵌め込むことにより、床シート２０を排水口に対して位置決めした後、特定区域Ｒ１を床構造本体に貼り付け、次に、特定区域Ｒ１から第２〜第４辺２２〜２４に向かって順に、これら分割区域Ｒ２〜Ｒ５を床構造本体に貼り付ける。【選択図】図２
2019094765.tif 000002
【特許請求の範囲】
【請求項１】
Ｘ軸方向に離間対向する第１、第２の辺と、上記Ｘ軸方向と直交するＹ軸方向に離間対向する第３、第４の辺とを有し、浴室の床構造本体に接着されるべき裏面に、粘着層と、この粘着層を覆う離型紙とが積層された床シートにおいて、
上記離型紙が分割され、この分割された離型紙に対応する複数の区域を有し、
上記複数の区域は、上記第１辺の近傍に配置されるとともに上記床構造本体の排水口に対応する開口が形成された特定区域と、上記特定区域に対して上記Ｙ軸方向の両側に隣接するＹ軸方向隣接区域と、上記特定区域に対して上記Ｘ軸方向の一方側である上記第２辺側に隣接するＸ軸方向隣接区域とを含むことを特徴とする浴室用床シート。
【請求項２】
上記複数の区域はさらに、上記Ｘ軸方向隣接区域に隣接するとともに当該Ｘ軸方向隣接区域と上記第２辺との間に配置されたＸ軸方向追加区域を有することを特徴とする請求項１に記載の浴室用床シート。
【請求項３】
上記複数の区域はさらに、両側の上記Ｙ軸方向隣接区域に隣接するとともに当該Ｙ軸方向隣接区域と上記第３辺、第４辺との間にそれぞれ配置されたＹ軸方向追加区域を有することを特徴とする請求項２に記載の浴室用床シート。
【請求項４】
上記Ｙ軸方向追加区域はそれぞれ上記第３辺、第４辺に沿って延びており、上記Ｘ軸方向隣接区域および上記Ｘ軸方向追加区域にも隣接することを特徴とする請求項３に記載の浴室用床シート。
【請求項５】
上記複数の区域はさらに、上記特定区域に対して上記Ｘ軸方向の他方側に隣接する他のＸ軸方向隣接区域を含み、当該他のＸ軸方向隣接区域は、上記床構造本体の浴槽側立ち上がり部の側面に貼り付けられることを特徴とする請求項１〜４のいずれかに記載の浴室用床シート。
【請求項６】
Ｘ軸方向に離間対向する第１、第２の辺と、上記Ｘ軸方向と直交するＹ軸方向に離間対向する第３、第４の辺とを有し、浴室の床構造本体に接着されるべき裏面に、粘着層と、この粘着層を覆う離型紙とが積層された床シートにおいて、
上記離型紙が分割され、この分割された離型紙に対応する複数の区域を有し、
上記複数の区域は、上記第１辺の近傍に配置されるとともに上記床構造本体の排水口に対応する開口が形成された特定区域と、上記特定区域と上記第２辺との間に配置されたＸ軸方向分割区域と、上記特定区域と上記第３辺および上記第４辺との間にそれぞれ配置されたＹ軸方向分割区域とを含むことを特徴とする浴室用床シート。
【請求項７】
上記Ｘ軸方向分割区域が複数配置され、上記Ｙ軸方向分割区域が、上記特定区域と上記第３辺との間および上記特定区域と上記第４辺との間に、それぞれ複数配置されていることを特徴とする請求項６に記載の浴室用床シート。
【請求項８】
請求項１に記載の浴室用床シートを、上記床構造本体の上面に貼り付ける方法において、
上記床構造本体の上記排水口が排水ユニットにより画成され、上記排水ユニットが主部材とこの主部材の上端に嵌め込まれた枠部材とを有しており、
上記浴室用床シートの特定区域において、予め上記開口の周縁領域には、上記排水口を画成する排水ユニットの上端部としての枠部材が取り付けられており、
上記枠部材を上記排水ユニットの主部材の上端に嵌め込むことにより、上記浴室用床シートを位置決めし、
次に、上記浴室用床シートの上記特定区域の離型紙を剥がして上記特定区域を上記床構造本体に貼り付け、
次に、上記Ｙ軸方向隣接区域と上記Ｘ軸方向隣接区域の離型紙を剥がして、これらＹ軸方向隣接区域とＸ軸方向隣接区域を上記床構造本体に貼り付けることを特徴とする浴室用床シートの貼り付け方法。
【請求項９】
請求項６または７に記載の浴室用床シートを、上記床構造本体の上面に貼り付ける方法において、
上記床構造本体の上記排水口が排水ユニットにより画成され、上記排水ユニットが主部材とこの主部材の上端に嵌め込まれた枠部材とを有しており、
上記浴室用床シートの特定区域において、予め上記開口の周縁領域には、上記排水口を画成する排水ユニットの上端部としての枠部材が取り付けられており、
上記枠部材を上記排水ユニットの主部材の上端に嵌め込むことにより、上記浴室用床シートを位置決めし、
次に、上記浴室用床シートの上記特定区域の離型紙を剥がして上記特定区域を上記床構造本体に貼り付け、
次に、上記特定区域から上記第２〜第４辺に向かって順に上記Ｘ軸方向分割区域と上記Ｙ軸方向分割区域の離型紙を剥がして、これらＸ軸方向分割区域とＹ軸方向分割区域を上記床構造本体に貼り付けることを特徴とする浴室用床シートの貼り付け方法。
【請求項１０】
請求項１〜７のいずれかに記載の浴室用床シートを製造する方法において、
上記浴室用床シートの輪郭に対応する主トムソン刃と、上記複数の区域の境界に対応して配置された主トムソン刃より低い副トムソン刃とを有する第１型と、上記第１型に対して相対的に接近、離間する方向に移動可能な第２型を用意する工程と、
裏面に上記粘着層と上記離型紙とが積層された素材シートを、裏面を第１型に向け、表面を第２型に向けてセットする工程と、
上記第１型と第２型を接近させて、上記主トムソン刃により、素材シートから上記浴室用床シートをくり抜くとともに、上記副トムソン刃により、上記離型紙を切断して上記複数の区域を形成する工程と、
を備えたことを特徴とする浴室用床シートの製造方法。
【発明の詳細な説明】
【技術分野】
【０００１】
本発明は、浴室の床構造本体の上面に貼り付けられる床シートに関し、さらにこの床シートの貼り付け方法および製造方法に関する。
【背景技術】
【０００２】
特許文献１に開示されているように、床構造本体の上面に床シートを貼り付けることにより構成された浴室洗い場が開発されている。
床シートを効率良く貼り付けるために、予め裏面に粘着層とこの粘着層を覆う離型紙を積層した床シートを工場で製造し、浴室設置現場で離型紙を床シートから剥がして床構造本体に貼り付ける工法が採用されている。
【先行技術文献】
【特許文献】
【０００３】
【特許文献１】特開２００９−１３８４３６号公報
【発明の概要】
【発明が解決しようとする課題】
【０００４】
しかし、床シートを一度に床構造本体の全域に貼ると、床構造本体の上面と床シートとの間に空気が入り込んで床シートが部分的に浮いてしまい、床シートの剥がれを招くことがあった。
【課題を解決するための手段】
【０００５】
本発明は上記課題を解決するためになされたものであり、その一態様は、Ｘ軸方向に離間対向する第１、第２の辺と、上記Ｘ軸方向と直交するＹ軸方向に離間対向する第３、第４の辺とを有し、浴室の床構造本体に接着されるべき裏面に、粘着層と、この粘着層を覆う離型紙とが積層された床シートにおいて、上記離型紙が分割され、この分割された離型紙に対応する複数の区域を有し、上記複数の区域は、上記第１辺の近傍に配置されるとともに上記床構造本体の排水口に対応する開口が形成された特定区域と、上記特定区域に対して上記Ｙ軸方向の両側に隣接するＹ軸方向隣接区域と、上記特定区域に対して上記Ｘ軸方向の一方側である上記第２辺側に隣接するＸ軸方向隣接区域とを含むことを特徴とする。
上記構成によれば、分割された区域毎に空気が入り込まないように貼り付けを行なえるので、床シートの剥がれを確実に防止することができる。また、排水口に対応する特定区域を中心に複数の区域が配されるので、排水口に対する床シートの位置決めを行った後に、特定区域から貼り付け領域が広がるように貼り付けることが可能となり、円滑かつ確実に貼り付け作業を行うことができる。
【０００６】
好ましくは、上記複数の区域はさらに、上記Ｘ軸方向隣接区域に隣接するとともに当該Ｘ軸方向隣接区域と上記第２辺との間に配置されたＸ軸方向追加区域を有する。
好ましくは、上記複数の区域はさらに、両側の上記Ｙ軸方向隣接区域に隣接するとともに当該Ｙ軸方向隣接区域と上記第３辺、第４辺との間にそれぞれ配置されたＹ軸方向追加区域を有する。
さらに好ましくは、上記Ｙ軸方向追加区域はそれぞれ上記第３辺、第４辺に沿って延びており、上記Ｘ軸方向隣接区域および上記Ｘ軸方向追加区域にも隣接する。
上記構成によれば、区域の数が増えるにしたがって、より一層確実に床シートを床構造本体に貼り付けることができる。
【０００７】
好ましくは、上記複数の区域はさらに、上記特定区域に対して上記Ｘ軸方向の他方側に隣接する他のＸ軸方向隣接区域を含み、当該他のＸ軸方向隣接区域は、上記床構造本体の浴槽側立ち上がり部の側面に貼り付けられる。
上記構成によれば、床構造本体が立ち上がり部を有する場合でも、この立ち上がり部の側面に確実に床シートを貼り付けることができる。
【０００８】
本発明の他の態様は、Ｘ軸方向に離間対向する第１、第２の辺と、上記Ｘ軸方向と直交するＹ軸方向に離間対向する第３、第４の辺とを有し、浴室の床構造本体に接着されるべき裏面に、粘着層と、この粘着層を覆う離型紙とが積層された床シートにおいて、上記離型紙が分割され、この分割された離型紙に対応する複数の区域を有し、上記複数の区域は、上記第１辺の近傍に配置されるとともに上記床構造本体の排水口に対応する開口が形成された特定区域と、上記特定区域と上記第２辺との間に配置されたＸ軸方向分割区域と、上記特定区域と上記第３辺および上記第４辺との間にそれぞれ配置されたＹ軸方向分割区域とを含む。
上記構成によれば、分割された区域毎に空気が入り込まないように貼り付けを行なえるので、床シートの剥がれを確実に防止することができる。また、排水口に対応する特定区域を中心に複数の区域が配されるので、排水口に対する床シートの位置決めを行った後に、特定区域から貼り付け領域が広がるように貼り付けることが可能となり、円滑かつ確実に貼り付け作業を行うことができる。
【０００９】
好ましくは、上記Ｘ軸方向分割区域が複数配置され、上記Ｙ軸方向分割区域が、上記特定区域と上記第３辺との間および上記特定区域と上記第４辺との間に、それぞれ複数配置されている。
上記構成によれば、区域の数が増えるにしたがって、より一層確実に床シートを床構造本体に貼り付けることができる。
【００１０】
本発明は、上記一態様の浴室用床シートを、上記床構造本体の上面に貼り付ける方法において、
上記床構造本体の上記排水口が排水ユニットにより画成され、上記排水ユニットが主部材とこの主部材の上端に嵌め込まれた枠部材とを有しており、
上記浴室用床シートの特定区域において、予め上記開口の周縁領域には、上記排水口を画成する排水ユニットの上端部としての枠部材が取り付けられており、
上記枠部材を上記排水ユニットの主部材の上端に嵌め込むことにより、上記浴室用床シートを位置決めし、
次に、上記浴室用床シートの上記特定区域の離型紙を剥がして上記特定区域を上記床構造本体に貼り付け、
次に、上記Ｙ軸方向隣接区域と上記Ｘ軸方向隣接区域の離型紙を剥がして、これらＹ軸方向隣接区域とＸ軸方向隣接区域を上記床構造本体に貼り付けることを特徴とする。
上記方法によれば、床シートの特定区域の開口を床構造本体の排水口に対して位置決めした後、特定区域から貼り付け領域が広がるように貼り付けるので、円滑な貼り付け作業を行うことが可能となる。
【００１１】
本発明は、上記他の態様の浴室用床シートを、上記床構造本体の上面に貼り付ける方法において、最初に、上記浴室用床シートの上記特定区域の離型紙を剥がして上記特定区域を上記床構造本体の排水口の周縁部に貼り付け、次に、上記特定区域から上記第２〜第４辺に向かって順に上記Ｘ軸方向分割区域と上記Ｙ軸方向分割区域の離型紙を剥がして、これらＸ軸方向分割区域とＹ軸方向分割区域を上記床構造本体に貼り付ける。
上記方法によれば、床シートの特定区域の開口を床構造本体の排水口に対して位置決めした後、特定区域から貼り付け領域が広がるように貼り付けるので、円滑な貼り付け作業を行うことが可能となる。
【００１２】
本発明は、上記浴室用床シートを製造する方法において、
上記浴室用床シートの輪郭に対応する主トムソン刃と、上記複数の区域の境界に対応して配置された主トムソン刃より低い副トムソン刃とを有する第１型と、上記第１型に対して相対的に接近、離間する方向に移動可能な第２型を用意する工程と、
裏面に上記粘着層と上記離型紙とが積層された素材シートを、裏面を第１型に向け、表面を第２型に向けてセットする工程と、
上記第１型と第２型を接近させて、上記主トムソン刃により、素材シートから上記浴室用床シートをくり抜くとともに、上記副トムソン刃により、上記離型紙を切断して上記複数の区域を形成する工程と、
を備えたことを特徴とする。
上記方法によれば、複数の区域を有する浴室用床シートを簡単に製造することができる。
【発明の効果】
【００１３】
本発明によれば、浴室において、排水口を有する床構造本体に、床シートを正確にかつ浮き上がることなく床シートを貼り付けることができる。
【図面の簡単な説明】
【００１４】
【図１】本発明の一実施形態に係る床シートを備えた浴室洗い場の断面図である。
【図２】離型紙の切断により複数の区域に分けられた上記床シートの平面図である。
【図３】上記床シートの製造工程を、厚みを誇張して示す概略断面図である。
【図４】（Ａ）は図２におけるIV−IV線に沿う概略断面図であり厚みを誇張して示し、（Ｂ）は上記床シートの周縁部に水密パッキンが装着された状態、（Ｃ）は離型紙が分離された状態をそれぞれ示す。
【発明を実施するための形態】
【００１５】
以下、本発明の一実施形態について、図面を参照しながら説明する。
図１に示すように、浴室洗い場の床構造は、床構造本体１０と、この床構造本体１０の上面に貼り付けられた床シート２０とを備えている。
【００１６】
本実施形態の床構造本体１０は断熱性を有しており、発泡体層１１と、発泡体層１１の下側に配置された鋼板１２と、発泡体層１１の上側に配置された鋼板１３とを有してサンドイッチ層構造をなしている。
【００１７】
床構造本体１０は長方形をなし、一方の長辺には浴槽側防水パン（図示しない）に隣接する立ち上がり部１５が形成されており、この立ち上がり部１５の中央近傍には、排水ユニット１６が装着されている。排水ユニット１６の内周により排水口１６ａが画成されている。排水ユニット１６は、筒状の主部材１６ｘと、この主部材１６ｘの上端に嵌め込まれた環状をなす枠部材１６ｙとを有している。主部材１６ｘと枠部材１６ｙとの間には水密材１６ｍが介在されている。
【００１８】
床構造本体１０の他方の長辺および２つの短辺には受け部材１７が装着されている。これら受け部材１７には浴室を画成する壁パネルやドアが設置されている。
【００１９】
上記床シート２０の製造方法について説明する。
図３に示すように、トムソン加工装置５０を用意する。この加工装置５０は、下型５１（第１型）と、下型５１に対して上下動する上型５２（第２型）とを有しており、下型５１には主トムソン刃５５と副トムソン刃５６が起立状態で設けられている。副トムソン刃５６は主トムソン刃５５より低い。
【００２０】
上記トムソン加工装置５０の下型５１に、発泡積層ＰＶＣ等の軟質発泡樹脂からなる素材シート２０Ａを載せてセットする。素材シート２０Ａの上面（表面）には凹凸模様が形成されている。素材シート２０Ａの平坦な下面（裏面）の略全域には、両面粘着フィルム３０が貼り付けられ、この両面粘着フィルム３０が離型紙３５により覆われている。両面粘着フィルム３０は、樹脂フィルム層３１とその両側の粘着層３２、３３を有している。一方の粘着層３２により樹脂フィルム層３１が素材シート２０Ａに接着されている。他方の粘着層３３が離型紙３５により覆われている。離型紙３５の材質には特に制約はない。
【００２１】
上記素材シート２０Ａのセット状態で上型５２を下降させると、上記主トムソン刃５５により、図２に示すような床構造本体１０の平面形状に対応した略長方形の床シート２０の周縁が切断され、床シート２０が素材シート２０Ａからくり抜かれるとともに、後述する開口２５（図１、図２参照）が形成される。これと同時に、副トムソン刃５６により、離型紙３５を切断する。この離型紙３５の切断ラインは図２において破線で示されている。
なお、図３に示すように副トムソン刃５６が両面粘着フィルム３０を切断しても差し支えない。
【００２２】
上述したように製造された床シート２０は、図２に示すように離型紙３５の切断ラインによって複数の区域に区分けされている。以下、互いに直交するＸ軸とＹ軸を参照しながら説明する。
床シート２０の略長方形をなす周縁は、Ｘ軸方向に離間対向してＹ軸方向に延びる２つの長辺すなわち第１辺２１と第２辺２２を有するとともに、Ｙ軸方向に離間対向してＸ軸方向に延びる２の短辺すなわち第３辺２３と第４辺２４を有している。開口２５は、浴槽側の第１辺２１の中央近傍に形成されている。
【００２３】
床シート２０の複数の区域は、開口２５が形成された第１区域Ｒ１（特定区域）と、第１区域Ｒ１のＹ軸方向両側に隣接する２つの第２区域Ｒ２（Ｙ軸方向隣接区域；Ｙ軸方向分割区域）と、上記第１区域Ｒ１と２つの第２区域Ｒ２に対してＸ軸方向の一方側（第２辺２２側）に隣接する第３区域Ｒ３（Ｘ軸方向隣接区域；Ｘ軸方向分割区域）と、さらに第３区域Ｒ３に隣接するとともに第３区域Ｒ３と第２辺２２との間に配置された第４区域Ｒ４（Ｘ軸方向追加区域；Ｘ軸方向分割区域）を含む。
【００２４】
さらに床シート２０の複数の区域は、上記第２区域Ｒ２，第３区域Ｒ３，第４区域Ｒ４と隣接するとともにこれら区域Ｒ２〜Ｒ４と第３辺２３、第４辺２４との間にそれぞれ配置された第５区域Ｒ５（Ｙ軸方向追加区域；Ｙ軸方向分割区域）と、第１区域Ｒ１、第２区域Ｒ２に隣接するとともにこれら区域Ｒ１，Ｒ２と第１辺２１との間に配置された第６区域Ｒ６（Ｘ軸方向隣接区域；Ｘ軸方向分割区域）を含む。
【００２５】
本実施形態では、床シート２０はさらに、周縁に沿って幅の狭い区域を有している。この周縁区域は、第１辺２１に沿って延びるとともに第６区域Ｒ６に隣接する区域Ｒ６’と、第２辺２２に沿って延びるとともに第４区域Ｒ４に隣接する区域Ｒ４’と、第３辺２３、第４辺２４に沿ってそれぞれ延びるとともに第５区域Ｒ５に隣接する区域Ｒ５’を有している。
【００２６】
図４（Ａ）に示す床シート２０において、上記周縁区域Ｒ４’，Ｒ５’，Ｒ６’の離型紙３５が剥がされ、その粘着層３３に、両面に粘着層を有する水密パッキン４０が装着されている（図４（Ｂ）参照）。水密パッキン４０は離型紙４５により覆われている。
なお、本実施形態では、開口２５の周縁領域Ｒａにおいて、両面粘着フィルム３０および離型紙３５が除去されている。
【００２７】
上記構成をなす床シート２０の貼り付け方法について詳述する。
準備工程として、図１に示すように、床シート２０の開口２５の周縁領域Ｒａに、排水ユニット１６の枠部材１６ｙを、両面に粘着層を有する水密パッキン１８を介して固定しておく。
最初に、床シート２０に接着された枠部材１６ｙを、排水ユニット１６の主部材１６ｘの上端に嵌め込む。これにより、排水ユニット１６が完成されるとともに、床シート２０の開口２５が床構造本体１０の排水口１６ａに正確に位置決めされる。
【００２８】
上記位置決め後に、床シート２０を床構造本体１０に順を追って貼り付けていく。理解を容易にするために、貼り付け順序を図２において１〜６の符号を付す。
【００２９】
１番目として、第１区域Ｒ１の離型紙３５を剥がし、第1区域Ｒ１を床構造本体１０に貼り付ける。第１区域Ｒ１の貼り付けに際しては、図２に矢印で示すように、開口２５から放射状に広がるように順に貼り付ける。
【００３０】
次に、２つの第２区域Ｒ２の離型紙３５を剥がし、これら第２区域Ｒ２を床構造本体１０の上面に貼り付ける。この際、図２に矢印で示すように、既に貼り付けが終了している第１区域Ｒ１に近い方から遠い方に向かって順に貼り付ける。
【００３１】
次に、第３区域Ｒ３の離型紙３５を剥がし、この第３区域Ｒ３を床構造本体１０の上面に貼り付ける。この際、図２に矢印で示すように、既に貼り付けが終了している第１区域Ｒ１に近い辺の中央部から放射状に広がるように順に貼り付ける。
【００３２】
次に、第４区域Ｒ４の離型紙３５を剥がし、この第４区域Ｒ４を床構造本体１０の上面に貼り付ける。この際、図２に矢印で示すように、既に貼り付けが終了している第３区域Ｒ３に近い辺の中央部から放射状に広がるように順に貼り付ける。
上記第４区域Ｒ４の貼り付けの際に、周縁区域Ｒ４’の離型紙４５を剥がして周縁区域Ｒ４’の水密パッキン４０を、図１に示すように受け部材１７に貼り付ける。
【００３３】
次に、２つの第５区域Ｒ５の離型紙３５を剥がし、これら第５区域Ｒ５を床構造本体１０の上面に貼り付ける。第５区域Ｒ５の貼り付けの際に、周縁区域Ｒ５’の離型紙４５を剥がして周縁区域Ｒ５’の水密パッキン４０を、受け部材１７に貼り付ける。
【００３４】
最後に、第６区域Ｒ６の離型紙３５を剥がし、図１に示すように、これら第６区域Ｒ６を床構造本体１０の立ち上がり部１５の側面に貼り付ける。第６区域Ｒ６の貼り付けの際に、周縁区域Ｒ６’の離型紙４５を剥がして周縁区域Ｒ６’の水密パッキン４０を、立ち上がり部１５の側面の上端部に貼り付ける。
【００３５】
本発明は、上記実施形態に限定されるものではなく、種々の形態を採用することが可能である。
素材シート２０Ａを加工して床シート２０を得る方法は、トムソン加工に限らずＮＣ加工でも良い。ＮＣ加工では刃の高さを調節することにより、トムソン加工における主トムソン刃５５と副トムソン刃５６の役割を担うことができる。
【００３６】
上記床シートの開口は浴槽側が開放されていてもよい。
第６区域Ｒ６は、第３区域Ｒ３より先に貼り付けてもよい。
上記実施形態では、床シート1の周縁部に水密パッキン４０を装着したが、この水密パ
ッキン４０は床構造本体に設置してもよい。この場合、周縁区域Ｒ４’〜Ｒ６’を省略することができ、区域Ｒ４〜Ｒ６が床シート１の周縁まで広がる。
【００３７】
本発明は浴室洗い場に限らず、シャワーのみが可能な浴室（シャワー室）の床にも適用可能である。
【産業上の利用可能性】
【００３８】
本発明は、排水口を有する浴室洗い場等の床シートに適用可能である。
【符号の説明】
【００３９】
１０  床構造本体
１５  立ち上がり部
１６ａ  排水口
２０  床シート
２０Ａ  素材シート
２１  第１辺
２２  第２辺
２３  第３辺
２４  第４辺
２５  開口
３３  粘着層
３５  離型紙
５１  下型（第１型）
５２  上型（第２型）
５５  主トムソン刃
５６  副トムソン刃
Ｒ１  第１区域（特定区域）
Ｒ２  第２区域（Ｙ軸方向隣接区域；Ｙ軸方向分割区域）
Ｒ３  第３区域（Ｘ軸方向隣接区域；Ｘ軸方向分割区域）
Ｒ４  第４区域（Ｘ軸方向追加区域；Ｘ軸方向分割区域）
Ｒ５  第５区域（Ｙ軸方向追加区域；Ｙ軸方向分割区域）
Ｒ６  第６区域（Ｘ軸方向隣接区域；Ｘ軸方向分割区域）
【図１】
2019094765.tif 000003
【図２】
2019094765.tif 000004
【図３】
2019094765.tif 000005
【図４】
2019094765.tif 000006